(57)【要約】【課題】筆記具が収納できる製本物は開きにくかったり、表紙背にたるみができたり、持ち運ぶ時に鞄に傷ができたり、筆記具が破損する場合があった。本発明は開きやすく、表紙がたるまなく、筆記具を保護する構造の筆記具背面収納式製本物を提供する。【解決手段】筆記具収納用のパイプの外周に背布を接着し、背布が合わさった位置を本文が移動する支点とし、本文が移動する支点から背布を張り合わせあそびをつくり、あそびの端を本文背の中心の位置に合わせ背布を接着し、接着された中心の部分を本文の開く角度を調節する支点にする。パイプに接着した背布の背の位置に表紙を接着する。表紙には開く為の支点になる溝を設ける。表紙、本文がそれぞれ独立した支点で開き、パイプと本文をつなぐ部分にあそびを設けることでパイプと本文が干渉しない。【選択図】図７
2014226793.tif 000002
【特許請求の範囲】
【請求項１】
筆記具収納用のパイプ(3)の外周に背布(2)を接着し、背布(2)が合わさった位置に本文が移動する支点(6)を設け、支点(6)から背布(2)の1部を貼り合せた背布あそび(8)を設け、支点(6)からのびた背布あそび(8)の端を本文背(4a)の中心の位置で接着し、接着された中心の部分に本文の開く角度を調節する支点(7)を設け、パイプ(3)に接着した背布背(2i)に表紙(1)が開く為の支点とした溝(1a)、溝(1b)を設けた表紙(1)の表紙背(1c)を接着し結合させ、表紙が開く時の支点として溝(1a)、溝(1b)、本文(4)が開く時移動する支点(6)、開いた時の本文(4)の角度を調整する支点(7)と独立した支点を持ち、パイプ(3)と本文(4)が開く時に干渉しない背布あそび(8)を設けた筆記具背面収納式製本物。
【発明の詳細な説明】
【技術分野】
【０００１】
本発明は手帳やノートなどの製本物の背面に筆記具を挿入でき、なおかつ本文が開きやすく、表紙にもたるみが生じず、筆記具を破損を防ぐことのできる筆記具背面収納式製本物に関するものである。
【背景技術】
【０００２】
従来、筆記具を背面に収納する製本物は表紙と本文の間に隙間を設け、本文見返しと表紙の裏を接着などで結合されている構造のものであった。
また、筆記具を収納するものは、（特許文献１）や（特許文献２）のような製本物を覆うカバーの構造が一般的である。
【先行技術文献】
【特許文献】
【０００３】
【特許文献１】実公平７−５５０９９号公報
【特許文献２】特開２００９−２８６０４４号公報
【発明の概要】
【発明が解決しようとする課題】
【０００４】
従来の筆記具収納を可能にする製本物は、次にような欠点があった。
（イ）筆記具を背面に収納する製本物は、表紙と本文の背に隙間を設け、表紙の裏と本文見返しを接着などで固定結合した構造になっている為、筆記具を収納したまま本文を開く時、本文の背が筆記具と干渉して開きにくくなる。また、表紙と本文が連動して開く為、表紙の背にたるみが生じ、外観を損なう場合があった。
（ロ）製本物を覆うカバーに筆記具を収納する構造は、製本物とカバーが接着などで固定されてい無い為、製本物とカバーにずれが生じ、使いにくい場合があった。
（ハ）筆記具の収納方法で表紙にベルトなどを装着したものは、筆記具を収納した状態で製本物を鞄などに入れ持ち歩いた時、筆記具が不安定で動きやすい為、鞄を傷つけたり、筆記具を破損させる場合があった。
（二）筆記具の収納場所が製本物の前方にある場合、頁がめくりにくい場合があった。
本発明は、以上の問題を解決する為に発明されたものである。
【課題を解決するための手段】
【０００５】
筆記具収納用のパイプ(3)の外周に背布(2)の折目(2e)と折目(2f)の間が重なるように接着し、折目(2e)と折目(2f)が合わさった位置が、支点(6)となり、折目(2d)と折目(2e)の間と折目(2g)と折目(2f)の間を重ね接着し、本文(4)を開く時、本文(4)が支点(6)を支点に回転する際、パイプ(3)と本文(4)の干渉をさける背布あそび(8)を設け、折目(2c)と折目(2d)の間、折目(2h)と折目(2g)の間をそれぞれ本文背(4a)に接着し、折目(2d)と折目(2g)の合わさった位置が支点(7)となる。ハイプ（３）に接着した背布（２）の背布背(2i)を表紙(1)の表紙背(1c)に接着し、表紙(1)と背布(2)を通し、パイプ(3)、本文(4)が結合状態になるようにする。表紙(1)を開く時は溝(1a)、溝(1b)がそれぞれ支点になり、本文(4)を開く時、本文(4)全体は支点(6)を支点に背布あそび(8)と共に回転し、表紙(1)の開く時の支点の位置が異なる為、表紙(1)と本文(4)がなるべく平行した位置になるように、支点(7)を支点に本文(4)のみ角度を微調整する。表紙(1)、本文(4)が開く時、それぞれ独立した支点をを持つ構造に成り、また、背布あそび(8)を設けてあるので、本文(4)を回転させた際、パイプ(3)との干渉をさける。本文(4)の頁を開く時は、本文背(4a)と接着してある背布(2)が開く頁の位置で折り曲がり開く。筆記具(5)は、パイプ(3)の中に挿し込み、クリップ(5a)を表紙クリップ挿入溝(1d)、背布クリップ挿入溝(2j)、パイプクリップ挿入溝(3a)の重なった溝から外に出て、筆記具(5)を固定する。
以上の構成からなる筆記具背面収納式製本物。
【発明の効果】
【０００６】
本発明は製本物の背面に筆記具を収納した状態でも、表紙と本文にそれぞれ独立した支点と背布にあそびを設けたことで、本文が開きやすく、表紙の背にもたるみができないので外観を損なうこともなくなる。また、筆記具をパイプの中に収納できるので、筆記具がパイプにより保護され、持ち歩く時に筆記具を破損から守ることができ、また、筆記具の破損などで、鞄などを傷つけることも防げる。
【図面の簡単な説明】
【０００７】
【図１】本発明の分解図
【図２】本発明の背布とパイプの結合工程を示す斜視図
【図３】本発明の背布とパイプと本文を結合した状態を示す要部拡大平面図
【図４】本発明の図3の次の工程で表紙を結合した斜視図
【図５】本発明の表紙を閉じた状態を示す平面図
【図６】本発明の表紙を開き本文を中央から開いた状態を示す平面図
【図７】本発明の表紙を開き本文の見返しで開いた状態を示す平面図
【図８】本発明の使用状態を示す斜視図
【発明を実施するための形態】
【０００８】
以下、本発明の実施の形態を説明する。
（イ）  図１で示すように、パイプ（3）の直径は本文（4）の本文背(4a)の幅と同等にする。
（ロ）  図５で示すように、表紙(1)の表紙背(1c)の幅はパイプ（3）の円周の2分の1の大きさにする。
（ハ）  図１で示すように、表紙（１）に表紙が開く時の支点になる溝(1a)と溝(1b)を設ける。
（二）  図３で示すように、背布（2）の背布背（2i)の幅はパイプ（3）に密着させる為、パイプ（3）の円周と同等にする。
（ホ）  図３で示すように、背布（2）の折目(2d)と折目(2e)、折目(2g)と折目(2f)は本文(4)を開く際に本文(4)を回転させる支点(6)、支点(7)の位置で貼り合せるように接着し、本文(4)を開く際、支点(6)を支点に本文(4)全体を回転させるとき、パイプ(3)と本文(4)の干渉をさける背布あそび(8)として機能する為、パイプ(3)の半径より大きくする。
（へ）  図３で示すように、背布(2)の折目(2c)と折目(2d)、折目(2h)と折目(2ｇ)は、折目(2d)と折目(2g)が支点(7)の位置になり、支点(7)は本文背(4a)の中心に位置する為、それぞれ本文背(4a)の幅の2分1の大きさにする。
（ト）  図１で示すように、表紙（1）の中心に表紙クリップ挿入溝(1d)、背布（2）の中心に背布クリップ挿入溝(2j)、パイプ（3）の中心にパイプクリップ挿入溝(3a)を同じ大きさで設ける。
（チ）  図２、図３で示すように、背布（2）の背布背（2i）の折目（2e）と折目（2f）の間をパイプ（3）にパイプ挿入溝（3a）と背布クリップ挿入溝（3a）の位置を合わせて折目(2e)と折目（2f)の間が重なるように接着し、背布あそび(8)と本文(4)を回転させる支点(6)を設ける。
（チ）  図３で示すように、パイプ（3）に接着した背布（2）の折目(2d)と折目(2e)の間と折目(2g)と折目(2f)の間が重なるように接着し、パイプ(3)と本文(4)の干渉をさける背布あそび(8)をつくる。
（リ）  図３で示すように、背布（2）の折目(2c)を本文背端(4d)の位置に、折目(2h)を本文背端(4e)の位置にそれぞれ合わせ合わせ、折目(2d)と折目（2g）が本文背（4a)の中心になるよに折目(2c)と折目(2d)の間、折目(2h)と折目(2g)の間を本文背(4a)に接着する。背布(2)と本文背(4a)を接着した部分の折目(2d)と折目(2g)の合わさった位置が本文(4)を回転させる支点（７）になる。
（ヌ）  図３で示すように、背布端（2a）と折目（2c）の間を本文見返し（4c)に接着する。
（ル）  図３で示すように、背布端（2b)と折目(2h)の間を本文見返し（4b)に接着する。
（ヲ）  図４で示すように、表紙（1）の表紙背（1c)を、接着により結合された背布（2）とパイプ（3）と本文（4）の背布背（2i）にパイプクリップ挿入溝（3a）と背布クリップ挿入溝（2j）と表紙クリップ挿入溝(1d)の位置を合わせ表紙背（1c）に接着し結合させる。
本発明は以上のような構造である。
【０００９】
本発明を使用する際は、表紙(1)を開く時、溝(1a)、溝(1b)が支点になりそれぞれ独立して開き、図6のように本文(4)を中央から開く場合、本文背(4a)と接着された背布(2)が中央で折れ曲がり、背布(4)の折目(2c)と折目(2d)の間、折目(2g)と折目(2h)の間がそれぞれ背布あそび(8)と重なった状態になり、パイプ(3)と干渉しないので開きやすい。
図7のように、本文(4)の始めの頁にあたる本文見返し(4b)の部分で開く時、支点(6)が支点になり、背布あそび(8)と本文(4)が回転し、支点(7)を支点にし本文(4)だけ回転し、開いている表紙(1)と平行になる角度に微調整する。背布あそび(8)はパイプ(3)の半径より大きい為、表紙(1)が溝(1a)を支点にしてどの角度に開いていても、パイプ(3)と本文(4)は干渉しないので開きやすい。また、図7は底面から見て、右に開いた状態を示しているが、左に開いても同じ状態になる。
パイプ(3)に筆記具(5)を挿入した時、クリップ(5a)が表紙クリップ挿入溝(1d)、背布クリップ挿入溝(2j)、パイプクリップ挿入溝(3a)の重なった溝から外に出て、筆記具(5)が固定され、パイプ(3)により保護される状態になり破損を防ぐ。
表紙(1)を開く為の支点が溝(1a)、溝(1b)となり、本文(4)を開く時に本文(4)全体の移動を行う支点が支点(6)となり、本文(4)の開く角度の微調整を行う支点が支点(7)になり、本文(4)の頁を開く時は本文背(4a)と本文背(4a)に接着された背布背(2i)が開く頁の位置で折れ曲がり、折れ曲がった部分が支点になる構造で、開く動作のある場所に独立した支点を設けたことで、開きやすく、表紙(1)と本文(4)が開く動作の時に同じ支点で連動して動かないので、表紙(1)にたるみが生じない。
【符号の説明】
【００１０】
1 表紙  1a 溝  1b 溝  1c 表紙背  1d 表紙クリップ挿入溝
2 背布  2a 背布端  2b 背布端  2c 折目  2d 折目  2e 折目  2f 折目  2g 折目  2h 折目  
2i 背布背  2j 背布クリップ挿入溝
3 パイプ  3a パイプクリップ挿入溝
4 本文  4a 本文背  4b 本文見返し  4c 本文見返し  4d 本文背端  4e 本文背端
5 筆記具  5a クリップ
６ 支点
７ 支点
８ 背布あそび
【図１】
2014226793.tif 000003
【図２】
2014226793.tif 000004
【図３】
2014226793.tif 000005
【図４】
2014226793.tif 000006
【図５】
2014226793.tif 000007
【図６】
2014226793.tif 000008
【図７】
2014226793.tif 000009
【図８】
2014226793.tif 000010